(57)【要約】【課題】ガイドパイプを従来よりも長く軸筒の前端から露出させ得る筆記具を提供すること。【解決手段】筆記具１００は、軸筒１０と、軸筒１０の軸線方向ｄａに相対移動可能に支持された芯繰出ユニット２０と、軸筒１０及び芯繰出ユニット２０に対し軸線方向ｄａに相対移動可能に軸筒１０の前端に支持されたガイドパイプ３０と、を備える。芯繰出ユニット２０は、軸筒１０に対し軸線方向ｄａに相対移動可能なチャック支持ユニット２７と、チャック支持ユニット２７に対し軸線方向ｄａに相対移動可能なチャックユニット２８と、を有する。ガイドパイプ３０は、チャックユニット２８がチャック支持ユニット２７に対し前方に相対移動することにより、軸筒１０に対し前方に相対移動される。チャックユニット２８がチャック支持ユニット２７に対して前方に相対移動していないときには、チャック支持ユニット２７の軸筒１０に対する前方への相対移動が制限される。【選択図】図１
2019119098.tif 000002
【特許請求の範囲】
【請求項１】
軸筒と、
筆記芯を前方に繰出可能に保持する芯繰出ユニットと、
前記軸筒及び前記芯繰出ユニットに対し前記軸筒の軸線方向に相対移動可能に前記軸筒の前端に設けられ、前記筆記芯上に位置するガイドパイプと、を備え、
前記芯繰出ユニットは、
前記軸筒に対し前記軸線方向に相対移動可能に前記軸筒に支持されたチャック支持ユニットと、
前記チャック支持ユニットに対し前記軸線方向に相対移動可能に当該チャック支持ユニットに支持され、前記筆記芯を前方に送り出すように保持するチャックユニットと、を有し、
前記ガイドパイプは、前記芯繰出ユニットの前記軸筒に対する前方への相対移動に伴って、前記軸筒に対し前方に相対移動し、
前記チャック支持ユニットが前記軸筒に対し後方に相対移動しているときに、当該チャック支持ユニットに対する前記チャックユニットの前記軸線方向の相対移動が制限される、筆記具。
【請求項２】
前記チャック支持ユニットは、前記チャックユニットを支持するチャック支持ユニット本体と、当該チャック支持ユニット本体に支持され、前記軸筒の軸線周りに当該チャック支持ユニット本体に対し第１位相と第２位相との間を回転可能な回転体と、を有し、
前記チャックユニットは、前記チャック支持ユニットに対し前方に相対移動する際に、前記回転体を前記第２位相から前記第１位相まで回転させ、
前記チャックユニットは、前記回転体が前記第１位相にあるとき、前記チャック支持ユニットに対する前記軸線方向の相対移動が制限される、請求項１に記載の筆記具。
【請求項３】
前記筆記芯を前記軸筒に対し後方に押圧した際に、前記チャックユニットが前記軸筒に対し後方に相対移動する、請求項２に記載の筆記具。
【請求項４】
前記回転体は、前記チャック支持ユニット本体を前記軸線方向に相対移動可能に支持し、
前記回転体または前記軸筒に対し前記チャックユニットまたは前記チャック支持ユニット本体を前方に付勢する付勢手段を更に備えた、請求項３に記載の筆記具。
【請求項５】
前記チャックユニットは、前記チャック支持ユニットに対し第１付勢力にて後方に付勢されており、
前記チャック支持ユニットは、前記第１付勢力よりも大きな第２付勢力にて、前記軸筒に対し後方に付勢されている、請求項１または２に記載の筆記具。
【請求項６】
前記筆記芯を前記軸筒に対し後方に押圧した際に、前記チャックユニットが前記軸筒に対し後方に相対移動する、請求項５に記載の筆記具。
【請求項７】
前記チャック支持ユニットは、前記チャックユニットを支持するチャック支持ユニット本体と、当該チャック支持ユニット本体に支持され、当該チャック支持ユニット本体に対し前記軸線方向に相対移動可能な支持体と、を有し、
前記チャックユニットは、前記軸筒または前記支持体に対し前方に付勢されており、
前記支持体は、前記軸筒に対し後方に付勢されている、請求項６に記載の筆記具。
【請求項８】
前記チャックユニットが前記軸筒に対して前記軸線方向に相対移動する際に、前記軸筒に対する前記チャックユニットの相対速度に応じた減衰力を当該チャックユニットに作用させる減衰手段を更に備えた、請求項３、４、６または７に記載の筆記具。
【請求項９】
前記ガイドパイプと前記軸筒との間に作用する最大静止摩擦力が、前記ガイドパイプと前記筆記芯との間に作用する最大静止摩擦力よりも大きい、請求項１乃至８のいずれか一項に記載の筆記具。
【請求項１０】
軸筒と、
前記軸筒の軸線方向に相対移動可能に当該軸筒に支持されたチャック支持ユニットと、
前記チャック支持ユニットに対し前記軸線方向に相対移動可能に当該チャック支持ユニットに支持され、筆記芯を前方に送り出すように保持するチャックユニットと、
前記軸筒、前記チャック支持ユニット及び前記チャックユニットに対し前記軸線方向に相対移動可能に前記軸筒の前端に設けられ、前記筆記芯上に位置するガイドパイプと、を備え、
前記チャックユニットを前記軸筒に対し前方に相対移動させると、
まず、前記チャックユニットが前記チャック支持ユニットに対し前方に相対移動し、
次に、前記チャックユニット、前記チャック支持ユニット及び前記ガイドパイプが前記軸筒に対し前方に相対移動する、筆記具。
【発明の詳細な説明】
【技術分野】
【０００１】
本発明は、筆記具に関する。
【背景技術】
【０００２】
従来、軸筒と、軸筒に支持され、筆記芯を前方に繰り出し可能に保持するチャックを含む芯繰出ユニットと、軸筒または口金の前端（紙面側の端部）に支持され、筆記芯の前端領域を取り囲むガイドパイプと、を備え、このガイドパイプが筆記芯の摩耗に同調して軸筒または口金の内部に潜り込むタイプの筆記具（例えばシャープペンシル）が知られている（例えば、特許文献１）。このような筆記具では、筆記時にガイドパイプが紙面に押し当てられると、紙面からの反力によってガイドパイプが軸筒の後方に押圧されるため、当該ガイドパイプが部分的に軸筒内または口金内に収納される。
【０００３】
このような筆記具では、例えば、次のようにしてガイドパイプが軸筒の前端から露出させられる。すなわち、ガイドパイプがチャックのすぐ前方に配置されており、筆記芯を繰り出し操作する際にチャックが軸筒に対して前進する際に、当該チャックによって前方に押圧される。これにより、ガイドパイプが軸筒の前端から外部に露出させられる。
【０００４】
この場合、ガイドパイプが軸筒の前端から外部に露出される長さは、筆記芯の繰り出し操作の際にチャックが前進する長さに依存する。通常は、チャックが前進する長さは数ｍｍ程度であるため、ガイドパイプが筆記芯の摩耗に同調して軸筒または口金の内部に潜り込むことができる長さは、比較的短い。したがって、このような筆記具の使用者は、頻繁に筆記芯の繰り出し操作（ノック操作）を行う必要がある。このため、ガイドパイプを従来よりも長く軸筒の前端から露出させることができれば、筆記芯の繰り出し操作の頻度を低減させることができ、便利である。
【先行技術文献】
【特許文献】
【０００５】
【特許文献１】実開平７−４０１８６号公報
【発明の概要】
【発明が解決しようとする課題】
【０００６】
本発明は、以上の問題に鑑みて創案されたものである。すなわち、本発明の目的は、筆記芯の前端を取り囲むガイドパイプを従来よりも長く軸筒の前端から露出させることができる筆記具を提供することである。
【課題を解決するための手段】
【０００７】
本発明は、軸筒と、
筆記芯を前方に繰出可能に保持する芯繰出ユニットと、
前記軸筒及び前記芯繰出ユニットに対し前記軸筒の軸線方向に相対移動可能に前記軸筒の前端に設けられ、前記筆記芯上に位置するガイドパイプと、を備え、
前記芯繰出ユニットは、
前記軸筒に対し前記軸線方向に相対移動可能に前記軸筒に支持されたチャック支持ユニットと、
前記チャック支持ユニットに対し前記軸線方向に相対移動可能に当該チャック支持ユニットに支持され、前記筆記芯を前方に送り出すように保持するチャックユニットと、を有し、
前記ガイドパイプは、前記芯繰出ユニットの前記軸筒に対する前方への相対移動に伴って、前記軸筒に対し前方に相対移動し、
前記チャック支持ユニットが前記軸筒に対し後方に相対移動しているときに、当該チャック支持ユニットに対する前記チャックユニットの前記軸線方向の相対移動が制限される、筆記具である。
【０００８】
前記チャック支持ユニットは、前記チャックユニットを支持するチャック支持ユニット本体と、当該チャック支持ユニット本体に支持され、前記軸筒の軸線周りに当該チャック支持ユニット本体に対し第１位相と第２位相との間を回転可能な回転体と、を有し、
前記チャックユニットは、前記チャック支持ユニットに対し前方に相対移動する際に、前記回転体を前記第２位相から前記第１位相まで回転させ、
前記チャックユニットは、前記回転体が前記第１位相にあるとき、前記チャック支持ユニットに対する前記軸線方向の相対移動が制限されて良い。
【０００９】
以上の筆記具では、前記筆記芯を前記軸筒に対し後方に押圧した際に、前記チャックユニットが前記軸筒に対し後方に相対移動して良い。
【００１０】
前記回転体は、前記チャック支持ユニット本体を前記軸線方向に相対移動可能に支持し、
前記回転体または前記軸筒に対し前記チャックユニットまたは前記チャック支持ユニット本体を前方に付勢する付勢手段を更に備えていて良い。
【００１１】
前記チャックユニットは、前記チャック支持ユニットに対し第１付勢力にて後方に付勢されており、
前記チャック支持ユニットは、前記第１付勢力よりも大きな第２付勢力にて、前記軸筒に対し後方に付勢されていて良い。
【００１２】
このような筆記具でも、前記筆記芯を前記軸筒に対し後方に押圧した際に、前記チャックユニットが前記軸筒に対し後方に相対移動して良い。
【００１３】
前記チャック支持ユニットは、前記チャックユニットを支持するチャック支持ユニット本体と、当該チャック支持ユニット本体に支持され、当該チャック支持ユニット本体に対し前記軸線方向に相対移動可能な支持体と、を有し、
前記チャックユニットは、前記軸筒または前記支持体に対し前方に付勢されており、
前記支持体は、前記軸筒に対し後方に付勢されていて良い。
【００１４】
また、前記チャックユニットが前記軸筒に対し後方に相対移動するタイプの筆記具においては、前記チャックユニットが前記軸筒に対して前記軸線方向に相対移動する際に、前記軸筒に対する前記チャックユニットの相対速度に応じた減衰力を当該チャックユニットに作用させる減衰手段を更に備えていて良い。
【００１５】
前記ガイドパイプと前記軸筒との間に作用する最大静止摩擦力が、前記ガイドパイプと前記筆記芯との間に作用する最大静止摩擦力よりも大きいものであって良い。
【００１６】
あるいは、本発明は、軸筒と、
前記軸筒の軸線方向に相対移動可能に当該軸筒に支持されたチャック支持ユニットと、
前記チャック支持ユニットに対し前記軸線方向に相対移動可能に当該チャック支持ユニットに支持され、筆記芯を前方に送り出すように保持するチャックユニットと、
前記軸筒、前記チャック支持ユニット及び前記チャックユニットに対し前記軸線方向に相対移動可能に前記軸筒の前端に設けられ、前記筆記芯上に位置するガイドパイプと、を備え、
前記チャックユニットを前記軸筒に対し前方に相対移動させると、
まず、前記チャックユニットが前記チャック支持ユニットに対し前方に相対移動し、
次に、前記チャックユニット、前記チャック支持ユニット及び前記ガイドパイプが前記軸筒に対し前方に相対移動する、筆記具である。
【発明の効果】
【００１７】
本発明によれば、筆記体の前端を取り囲むガイドパイプを従来よりも長く軸筒の前端から露出させることができる筆記具を提供することができる。
【図面の簡単な説明】
【００１８】
【図１】本発明の一実施の形態による筆記具を示す概略縦断面図である。
【図２】図１の筆記具の回転体を示す概略的な断面斜視図である。
【図３】図１の筆記具の回転操作部を示す概略斜視図である。
【図４】図１の筆記具の軸筒のＩＶ−ＩＶ線断面である。
【図５】図１の筆記具の回転止め部材を示す概略平面図である。
【図６Ａ】図１の筆記具の作用を説明するための図であり、ガイドパイプが軸筒内に没入した状態の筆記具の前方領域の概略縦断面図と、このときの回転体及び回転操作部の相対位置関係と、を示している。
【図６Ｂ】図１の筆記具の作用を説明するための図であり、筆記芯の繰り出し動作が行われている状態の筆記具の前方領域の概略縦断面図と、このときの回転体及び回転操作部の相対位置関係と、を示している。
【図６Ｃ】図１の筆記具の作用を説明するための図であり、チャックユニットがチャック支持ユニットに対し前方に相対移動している状態の筆記具の前方領域の概略縦断面図と、このときの回転体及び回転操作部の相対位置関係と、を示している。
【図６Ｄ】図１の筆記具の作用を説明するための図であり、図６Ｃの後、チャックユニットが初期位置まで復帰する途中の筆記具の前方領域の概略縦断面図と、このときの回転体及び回転操作部の相対位置関係と、を示している。
【図６Ｅ】図１の筆記具の作用を説明するための図であり、図６Ｄの後、チャックユニットが初期位置まで復帰した状態の筆記具の前方領域の概略縦断面図と、このときの回転体及び回転操作部の相対位置関係と、を示している。
【図７】本発明の他の実施例による筆記具を示す概略縦断面図である。
【図８】本発明の更に他の実施例による筆記具を示す概略縦断面図である。
【図９】本発明の更に他の実施例による筆記具を示す概略縦断面図である。
【発明を実施するための形態】
【００１９】
以下に、添付の図面を参照して本発明の一実施の形態を詳細に説明する。
【００２０】
図１は、本発明の一実施の形態による筆記具１００を示す概略縦断面図である。ここでは、筆記具１００としてシャープペンシルが例示されている。また、図２は、図１の筆記具１００の回転体４２を示す概略的な断面斜視図であり、図３は、図１の筆記具１００の回転操作部４１を示す概略斜視図である。また、図４は、図１の筆記具１００の軸筒１０のＩＶ−ＩＶ線断面であり、図５は、図１の筆記具１００の回転止め部材６０を示す概略平面図である。
【００２１】
図１に示すように、筆記具１００は、軸筒１０と、軸筒１０に支持され、筆記芯２１を前方（図１における左方）に繰出可能に保持する芯繰出ユニット２０と、軸筒１０の前端１１に設けられ、筆記芯２１上に位置するガイドパイプ３０と、を備えている。芯繰出ユニット２０は、軸筒１０の軸線方向ｄａに相対移動可能に、当該軸筒１０に支持されている。また、ガイドパイプ３０は、軸筒１０及び芯繰出ユニット２０に対し、軸筒１０の軸線方向ｄａに相対移動可能に支持されている。
【００２２】
本実施の形態の芯繰出ユニット２０は、軸筒１０に対し軸線方向ｄａに相対移動可能に軸筒１０に支持されたチャック支持ユニット２７と、チャック支持ユニット２７に対し軸線方向ｄａに相対移動可能に当該チャック支持ユニット２７に支持され、筆記芯２１を前方に送り出すように保持するチャックユニット２８と、を有している。そして、ガイドパイプ３０は、芯繰出ユニット２０の軸筒１０に対する前方への相対移動に伴って、軸筒１０に対し前方に相対移動するようになっている。
【００２３】
図１に示すように、チャック支持ユニット２７は、チャックユニット２８を支持するチャック支持ユニット本体２９と、当該チャック支持ユニット本体２９に支持され、チャック支持ユニット本体２９に対し、軸筒１０の軸線Ｌ周りに第１位相と第２位相との間を回転可能な回転体４２と、を有している。第１位相及び第２位相については、後述される。本実施の形態のチャック支持ユニット本体２９は、外筒２９ｐと、外筒２９ｐの前端領域に支持され、後述するチャック２４を締める締めリング２５と、チャックユニット２８を外筒２９ｐに対し後方に付勢するリターンスプリング２６と、を有している。
【００２４】
更に、筆記具１００は、軸筒１０に対しチャック支持ユニット２７を後方に付勢する付勢手段４４を有している。本実施の形態の付勢手段４４は、コイルバネであり、次のように配置されている。すなわち、チャック支持ユニット２７の外筒２９ｐは、外面にフランジ部２７ｆを有している。更に、軸筒１０は、フランジ部２７ｆの前方に内鍔１０ｐを有している。そして、フランジ部２７ｆと内鍔１０ｐとの間に付勢手段４４が配置されている。本実施の形態のチャック支持ユニット２７は、軸筒１０の内面に設けられた小径部１０ｓによって、軸筒１０に対する後方への相対移動が規制されている。そして、この状態で、フランジ部２７ｆと内鍔１０ｐとは、軸線方向ｄａの離間距離が付勢手段４４の自然長より小さくなる位置関係で、互いに設けられている。このため、付勢手段４４は、フランジ部２７ｆと内鍔１０ｐの間に圧縮状態で配置されている。なお、付勢手段は、回転体４２に対しチャックユニット２８またはチャック支持ユニット本体２９を前方に付勢するようになっていても良い。
【００２５】
外筒２９ｐは、前方の内周面に縮径部２７ｐを有している。チャック２４は、この縮径部２７ｐにより画定された開口を軸線方向ｄａに貫通して配置され、外筒２９ｐに対して軸線方向ｄａに相対移動可能となっている。また、リターンスプリング２６は、外筒２９ｐの縮径部２７ｐと回転操作部４１の前端との間に圧縮状態で配置されている。このような構成により、リターンスプリング２６は、外筒２９ｐに対してチャックユニット２８を後方に付勢している。チャックユニット２８がチャック支持ユニット２７に対し前方に相対移動させられていないときには、チャック２４は、前端領域が締めリング２５によって締められて、筆記芯２１を後退しないように挟持する。
【００２６】
図１に示すように、チャックユニット２８は、筆記芯２１を保持するチャック２４と、チャック２４の後端に接続され筆記芯２１を収容する芯パイプ２３と、を有している。チャック２４は、例えば真鍮製であり、芯パイプ２３は、例えばポリプロピレン製である。更に、チャックユニット２８は、チャック２４の後方領域に、前記チャック支持ユニット２７に対し前方に相対移動する際に、回転体４２を第２位相から第１位相まで回転させる回転操作部４１（図３参照）を有している。本実施の形態では、図１及び図３に示すように、チャック２４と回転操作部４１とは別部材として構成されているが、このような形態には限られない。例えば、他の例では、回転操作部４１がチャック２４及び／または芯パイプ２３に一体に設けられていて良い。
【００２７】
更に、図１及び図４に示すように、軸筒１０には、回転体４２を取り囲む部分の内面に、軸線方向ｄａに延在する溝１３が形成されている。本実施の形態の溝１３は、軸筒１０の周方向ｄｓに沿って等間隔で４つ、設けられている。この溝１３は、回転体４２が特定の位相（第１位相）となったときにのみ当該回転体４２が軸筒１０に対して前方に相対移動することを許容するためのものである。また、図４に示すように、溝１３が形成されている軸筒１０の部分のうち、後方領域の内径ｄ１は、前方領域の内径ｄ２よりも大きくなっている。
【００２８】
本実施の形態による筆記具１００は、チャック支持ユニット２７が軸筒１０に対し後方に相対移動しているときに、当該チャック支持ユニット２７に対するチャックユニット２８の軸線方向ｄａの相対移動が制限されるようになっている。このような制限は、回転体４２、回転操作部４１及び軸筒１０が協働して実現される。以下、これらの構成要素の具体的な構成について説明する。
【００２９】
回転体４２は、略筒形の形状を有している。ただし、図２には、縦断面図として回転体４２の奥側の部分のみが示されている。図２に示すように、回転体４２は、外面に、凸部として構成された被ガイド部４２ｇを有している。この被ガイド部４２ｇは、図２に示された奥側の部分に２つ、図２には示されていない手前側の部分に２つ、の合計４つ設けられている。なお、他の実施の形態では、被ガイド部４２ｇは、３つ以下、あるいは５つ以上設けられていて良い。４つの被ガイド部４２ｇは、互いに同じ形状を有しており、軸筒１０に設けられた溝１３内に収容され得る寸法を有している。これら４つの被ガイド部４２ｇは、回転体４２の周方向ｄｓに等間隔で配置されている。回転体４２の外径は、被ガイド部４２ｇが設けられた位相において最大となる。この最大の外径は、ｄ２より大きく、ｄ１より小さい。一方、被ガイド部４２ｇが設けられていない位相における回転体４２の外径は、ｄ２よりも小さい。
【００３０】
更に、回転体４２は、内面に隆起部４２ｅを有している。この隆起部４２ｅは、図２に示された奥側の部分に１つ、図２には示されていない手前側の部分に１つの、合計２つ設けられている。これら２つの隆起部４２ｅは、軸筒１０の周方向ｄｓに１８０°の位相差で配置されている。各隆起部４２ｅは、後方から見て時計回りに進んだ側の縁部に第１傾斜縁部４２ｅ１を有し、その反対側の縁部に第２傾斜縁部４２ｅ２を有している。図２に示すように、第１傾斜縁部４２ｅ１は、後方を向くように軸筒１０の軸線方向ｄａに対し傾斜した縁部であり、第２傾斜縁部４２ｅ２は、前方を向くように軸筒１０の軸線方向ｄａに対し傾斜した縁部である。
【００３１】
次に、回転操作部４１について説明する。図３に示すように、回転操作部４１は、略筒形の形状を有している。回転操作部４１の前端（図３における左下端）には、チャック２４の後端に外嵌するチャック嵌合部（不図示）が設けられている。また、回転操作部４１の後端（図３における右上端）には、芯パイプ２３に内嵌する芯パイプ嵌合部４１ｓが設けられている。更に、図３に示すように、回転操作部４１の外面には、回転体４２に周方向ｄｓの力を与えるための突起が形成されている。この突起は、回転体４２の第１傾斜縁部４２ｅ１に対応する第１テーパ部４１ａｔが前端に形成された第１突起４１ａと、回転体４２の第２傾斜縁部４２ｅ２に対応する第２テーパ部４１ｂｔが後端に形成された第２突起４１ｂと、を有している。本実施の形態では、これら第１突起４１ａと第２突起４１ｂとは、回転体４２の隆起部４２ｅに対応して、周方向ｄｓに２つずつ、交互に等間隔で配置されている。
【００３２】
更に、筆記具１００は、回転操作部４１の軸筒１０に対する軸線Ｌ周りの相対回転を防止する回転止め部材６０を有している。図５に示すように、この回転止め部材６０は、略リング状の形状を有し、軸筒１０の溝１３に対応する４つの係合凸部６３が外面に形成されている。更に、回転止め部材６０は、外面に係合凸部６３が形成されている位置の内面に、４つの係合凹部６２が形成されている。これらの係合凹部６２は、互いに向かい合う２つが回転操作部在の第１突起４１ａと係合するようになっている。
【００３３】
図１に示すように、回転体４２及び回転止め部材６０は、回転操作部４１を取り囲むようにして軸筒１０内に配置されている。回転体４２は、軸線方向ｄａから見て、被ガイド部４２ｇが軸筒１０の溝１３の位置とは異なる位置となる第２位相で配置されている。また、回転止め部材６０は、４つの係合凸部６３が軸筒１０の溝１３の位置と同じ位置となる第１位相で配置されている。より具体的には、回転体４２の被ガイド部４２ｇは、溝１３が形成されている軸筒１０の部分のうち、内径ｄ１を有する後方領域に位置付けられている。前述したように、内径ｄ１は、回転体４２の外径の最大値よりも大きいため、回転体４２は軸筒１０に対し当該軸筒１０の軸線Ｌ周りに相対回転することができる。一方、前述したように、回転体４２の外径の最大値は、溝１３が形成されている軸筒１０の部分のうち、後方領域の内径ｄ２よりも大きい。このため、回転体４２は、軸筒１０に対して前方に相対移動することが禁止されている。また、回転止め部材６０は、回転体４２の後方にて、４つの係合凸部６３が軸筒１０の溝１３内に嵌り込んでおり、軸筒１０に対する軸線Ｌ周りの相対回転が禁止されている。そして、これら回転体４２及び回転止め部材６０は、付勢手段４４の付勢力によって、軸筒１０の小径部１０ｓを後方に押圧している。
【００３４】
図１に戻って、本実施の形態のガイドパイプ３０について説明する。ガイドパイプ３０は、軸筒１０の前端１１に支持されており、ガイドパイプ本体３１と、ガイドパイプ本体３１をその後端領域において支持し軸筒１０の内面を軸線方向ｄａに摺動可能な摺動支持部３２と、を有している。また、軸筒１０は、摺動支持部３２を収容する収容空間３３を画定している。この収容空間３３は、軸線方向ｄａに所定の長さを有しており、この長さの範囲内において摺動支持部３２が収容空間３３内を軸線方向ｄａに摺動するようになっている。
【００３５】
更に、図１に示すように、軸筒１０は、前端１１の内面に、ガイドパイプ３０の外面との間に所定の静止摩擦係数を提供する摩擦部１４を有している。本実施の形態の摩擦部１４は、Ｏリングである。もちろん、所定の静止摩擦係数を提供することができれば、例えば軸筒１０の前端の内面の表面粗さを制御するなど、適宜の手段が作用され得る。ガイドパイプ３０は、軸筒１０内に没入した状態において、チャック２４のすぐ前方に位置するように構成されている。
【００３６】
ガイドパイプ３０の摺動支持部３２と収容空間３３を画定する軸筒１０との接触部分Ａに作用する最大静止摩擦力をｆＡとし、ガイドパイプ本体３１と筆記芯２１との接触部分Ｂに作用する最大静止摩擦力をｆＢとすると、これらの静止摩擦力ｆＡ、ｆＢの間には、ｆＡ＞ｆＢという関係が成立している。このため、後述されるように、ガイドパイプ本体３１内を筆記芯２１が軸線方向ｄａに通過する際に、摺動支持部３２が軸筒１０に対して静止した状態を維持するようになっている。
【００３７】
芯繰出ユニット２０は、芯パイプ２３の後端に取り付けられた押圧操作部１８を更に有している。この押圧操作部１８を押圧操作（ノック操作）することによって、チャックユニット２８から筆記芯２１が繰り出される。具体的な繰り出しの態様については、後述される。本実施の形態の押圧操作部１８は、ＰＯＭ樹脂製である。押圧操作部１８は、後方が消しゴム８０を取外可能に保持するホルダ部１８ｈとして構成されている。そして、ホルダ部１８ｈには、消しゴム８０の後方を覆うドーム状のノブ８１が取外可能に外嵌されている。
【００３８】
次に、以上のような筆記具１００の作用について、図６Ａ〜図６Ｅを参照して説明する。図６Ａは、ガイドパイプ３０が軸筒１０内に没入した状態の筆記具１００を示す図であり、図６Ｂは、筆記芯２１の繰り出し動作が行われている状態の筆記具１００を示す図であり、図６Ｃは、チャックユニット２８がチャック支持ユニット２７に対し前方に相対移動している状態の筆記具１００を示す図であり、図６Ｄは、図６Ｃの後、チャックユニット２８が初期位置まで復帰する途中の筆記具１００を示す図であり、図６Ｅは、図６Ｄの後、チャックユニット２８が初期位置まで復帰した状態の筆記具１００を示す図である。各図において、左側が筆記具１００の前方領域を示す概略縦断面図であり、右側が回転体４２及び回転操作部４１の相対位置関係を示す図である。但し、説明の便宜のため、左側の図において回転操作部材は正面図で示されている。なお、以下の説明において、ガイドパイプ本体３１が軸筒１０内に没入している図６Ａを初期状態とする。
【００３９】
まず、通常のノック操作による筆記芯２１の繰り出しについて説明する。以後、このノック操作を第１次ノック操作と呼ぶ。紙面に対して筆記を行うに先立ち、必要に応じて、押圧操作部１８が芯パイプ２３から取り外され、筆記芯２１が芯パイプ２３内に投入される。その後、押圧操作部１８が芯パイプ２３に再び取り付けられる。この状態で、軸筒１０の前端１１が押圧操作部１８より下方に位置する姿勢で当該押圧操作部１８（ノブ８１）が軸筒１０に対して前方に押し込まれる（ノックされる）。これにより、チャックユニット２８がリターンスプリング２６の付勢力に逆らってチャック支持ユニット２７に対し前進させられる。この前進の過程で、締めリング２５がチャック２４から外れ、当該チャック２４が開放される。この結果、チャック２４から筆記芯２１が所定の長さだけ前方に繰り出される。
【００４０】
このノックの際、チャック２４が収容空間３３の内部を前進し、ガイドパイプ３０の摺動支持部３２がチャック２４によって前方に押圧される。これにより、ガイドパイプ３０は、軸筒１０に対し前方に相対移動させられる。この結果、ガイドパイプ本体３１が軸筒１０の前端１１から露出する。そして、ガイドパイプ３０の摺動支持部３２と収容空間３３を画定する軸筒１０との接触部分Ａ（図１参照）に作用する摩擦力により、この露出状態が維持される。
【００４１】
そして、押圧操作部１８の前方への押し込みが解除されると、リターンスプリング２６の付勢力により、チャックユニット２８がチャック支持ユニット２７に対し後方に相対移動する。これに伴って、チャック２４は締めリング２５により締められる。この結果、チャック２４により筆記芯２１が挟持されて、筆記芯２１が繰り出された状態が維持される。
【００４２】
以上の第１次ノック操作における回転体４２及び回転操作部４１の動作は、次の通りである。すなわち、押圧操作部１８が軸筒１０に対して前方に押し込まれると、回転体４２に対し回転操作部４１が前方に相対移動する。回転操作部４１は、回転止め部材６０の存在によって、軸筒１０の軸線Ｌ周りに回転することなく、軸線方向ｄａに直進する。そして、チャックユニット２８がチャック支持ユニット２７に対して最も前方に相対移動したとき、回転操作部４１の第１突起４１ａの第１テーパ部４１ａｔが回転体４２の第１傾斜縁部４２ｅ１にちょうど当接する（図６Ｂ参照）。そして、押圧操作部１８の押し込みが解除されると、リターンスプリング２６の付勢力によって、チャックユニット２８がチャック支持ユニット２７に対し後方に相対移動し、初期状態が復元される（図６Ａ参照）。
【００４３】
以上の第１次ノック操作は、ガイドパイプ本体３１の前端から筆記芯２１が僅かに露出するまで繰り返される（図１参照）。なお、前述したように、ガイドパイプ３０の摺動支持部３２と収容空間３３を画定する軸筒１０との接触部分Ａに作用する最大静止摩擦力ｆＡの方が、ガイドパイプ本体３１と筆記芯２１との接触部分Ｂに作用する最大静止摩擦力ｆＢよりも大きい。したがって、筆記芯２１が繰り出される際に、ガイドパイプ３０が筆記芯２１につられて軸筒１０の前端１１から更に前進してしまうことが無い。
【００４４】
そして、使用者によって軸筒１０が把持され、紙面に対して筆記芯２１を当接させつつ軸筒１０が所望に移動されて筆記が行われる。筆記に伴い、筆記芯２１が摩耗し、ガイドパイプ３０の前端から露出する筆記芯２１の長さが次第に減少する。筆記芯２１が更に摩耗すると、ガイドパイプ３０の前端が紙面に当接する。このような場合であっても、ガイドパイプ３０が筆記芯２１の摩耗に同調して軸筒１０内に潜り込むことにより、筆記芯２１を更に繰り出すことなく、筆記を継続することができる。
【００４５】
ところで、本実施の形態による筆記具１００は、押圧操作部１８を第１次ノック操作時よりも強く押し込むことによって、ガイドパイプ３０を軸筒１０の前端１１からより長く露出させることができる。このようなノック操作を、以後、第２次ノック操作と呼ぶ。この第２次ノック操作時の筆記具１００の作用について、以下に説明する。
【００４６】
押圧操作部１８が軸筒１０に対して前方に強く押し込まれると、図６Ｂに示す状態において、回転操作部４１の第１突起４１ａは、回転体４２の第１傾斜縁部４２ｅ１を前方に押圧する。このことにより、この押圧により、回転体４２と回転操作部４１との間には、軸線Ｌ周りに互いに逆向きの力が作用する。ところで、前述したように、回転操作部４１は、回転止め部材６０によって軸筒１０に対する軸線Ｌ周りの相対回転が禁止されている。このため、回転操作部４１は、軸筒１０に対し相対回転することなく、軸線方向ｄａに沿って直進する。このため、図６ｃに示すように、回転体４２は、後方から見て（図６Ｃにおける右方から見て）軸筒１０に対し反時計回りに相対回転される。この相対回転によって、回転体４２の位相が初期状態における第２位相から第１位相に変化する。すなわち、軸線Ｌ周りの回転体４２の位相と軸筒１０の溝１３の位相とが一致する。この結果、回転体４２は、軸筒１０に対し前方に相対移動することが許容される。この結果、押圧操作部１８に作用する強い押圧力によって、チャックユニット２８及びチャック支持ユニット２７は、付勢手段４４を圧縮させつつ軸筒１０に対し前方に相対移動する。
【００４７】
押圧操作部１８の押し込み操作は、ガイドパイプ３０の摺動支持部３２が収容空間３３内の前端に当接するまで行われ得る。これにより、ガイドパイプ本体３１は、第１次ノック操作によって軸筒１０の前端１１から露出される長さを超えて、軸筒１０の前端１１から露出される（図６Ｃ参照）。このとき、図６Ｃに示すように、回転体４２は、隆起部４２ｅの第２傾斜縁部４２ｅ２が回転操作部４１の第２突起４１ｂの第２テーパ部４１ｂｔと対面するように位置付けられる。
【００４８】
そして、押圧操作部１８を押し込む力が解除されると、あるいは弱められると、図６Ｄに示すように、付勢手段４４の付勢力によって、チャック支持ユニット２７及びチャックユニット２８が軸筒１０に対して後方に相対移動される。回転体４２は、軸筒１０の溝１３の存在によって、チャック支持ユニット２７が初期位置に復帰されるまでは第１位相を維持する。この間、チャック支持ユニット２７に対するチャックユニット２８の軸線方向ｄａの相対移動、具体的には後方への相対移動が、制限される。
【００４９】
チャック支持ユニット２７が初期位置に復帰すると、回転体４２は軸筒１０に対し軸線Ｌ周りに相対回転することが可能となる。この状態で、軸筒１０に対し相対回転しない回転操作部４１が回転体４２に対して後方に相対移動すると、回転操作部４１の第２突起４１ｂの第２テーパ部４１ｂｔが回転体４２の第２傾斜縁部４２ｅ２を後方に押圧する。このことにより、回転体４２が、後方から見て軸線Ｌ周りに時計回りに回転される。そして、回転操作部４１の第２テーパ部４１ｂｔが回転体４２の第２傾斜縁部４２ｅ２から外れると、回転体４２の回転は終了し、回転操作部４１がチャック支持ユニット２７に対し更に後方に相対移動して初期状態が復元される（図６Ｅ参照）。
【００５０】
そして、上述したように、使用者によって軸筒１０が把持され、紙面に対して筆記が行われる。筆記芯２１が摩耗すると、やがてガイドパイプ３０の前端が紙面に当接するが、ガイドパイプ３０はその摩耗に同調して軸筒１０内に潜り込む。このため、ガイドパイプ３０の摺動支持部３２が軸筒１０の収容空間３３の後端に当接するまでは、筆記芯２１を追加的に繰り出すことなく筆記を継続することができる。
【００５１】
以上のような筆記具１００の作用は、要するに、チャックユニット２８を軸筒１０に対し前方に相対移動させると、まず、チャックユニット２８及びガイドパイプ３０がチャック支持ユニット２７に対し前方に相対移動し、次に、チャックユニット２８、チャック支持ユニット２７及びガイドパイプ３０が軸筒１０に対し前方に相対移動する、というものである。
【００５２】
以上のような本実施の形態によれば、筆記芯２１の前端を取り囲むガイドパイプ３０を従来よりも長く軸筒１０の前端１１から露出させることができる筆記具１００を提供することができる。このため、一度のノック操作（第２次ノック操作）によってより多くの筆記を行うことが可能である。
【００５３】
また、筆記具１００は、チャック支持ユニット２７に設けられた回転体４２と、軸筒１０に設けられた溝１３及び当該溝１３が設けられている軸筒１０の部分に設けられた内径の差異（ｄ１＞ｄ２）と、チャックユニット２８に設けられ回転体４２をチャック支持ユニット本体に対し第１位相と第２位相との間で相対回転させる回転操作部４１と、を有している。これらの構成要素は、協働して、回転体４２が第１位相にあるとき、当該チャック支持ユニット２７に対するチャックユニット２８の軸線方向ｄａの相対移動を制限する。このことにより、第１次ノック操作時にチャック支持ユニット２７が軸筒１０に対し相対移動することが無いため、第１次ノック操作を安定的に行うことができる。
【００５４】
次に、以上の筆記具１００の変形例について説明する。
【００５５】
図７は、図１の変形例による筆記具２００を示す概略縦断面図である。筆記具２００は、チャックユニット２２８が回転操作部を有しておらず、チャック支持ユニット２２７が回転体を有していない点で、図１に示す筆記具１００とは異なっている。更に、筆記具２００のチャックユニット２２８は、チャック支持ユニット２２７に対し、リターンスプリング２６によって第１付勢力にて後方に付勢されている。そして、筆記具２００のチャック支持ユニット２２７は、前記第１付勢力よりも大きな第２付勢力にて、付勢手段４４によって軸筒１０に対し後方に付勢されている。とりわけ、第２付勢力は、第１次ノック操作により、筆記具２００のノック操作時にリターンスプリング２６が最も圧縮された際に当該リターンスプリング２６によって発生される付勢力よりも、大きく設定されている。そのほかの構成は、図１に示す筆記具１００と略同様である。このため、図７において図１と共通する構成部分には同様の符号を付し、その詳細な説明は省略する。
【００５６】
以上のような筆記具２００は、第１次ノック操作の際、チャックユニット２２８がリターンスプリング２６の付勢力に逆らってチャック支持ユニット２２７に対し前進させられる。図１に示す筆記具１００と同様に、この前進の過程で、締めリング２５がチャック２４から外れ、当該チャック２４が開放される。これと同時に、ガイドパイプ３０の摺動支持部３２がチャック２４によって前方に押圧され、ガイドパイプ３０が軸筒１０の前端１１から露出される。その間、チャック支持ユニット２２７から付勢手段４４に作用する力は、付勢手段４４の付勢力を超えない。このため、第１次ノック操作の際、チャック支持ユニット２２７は、軸筒１０に対し相対移動することが無い。
【００５７】
第２次ノック操作の際には、リターンスプリング２６による付勢力と付勢手段４４による付勢力との合力を超える力で押圧操作部１８が前方に押圧される。これにより、付勢手段４４が圧縮され、チャック支持ユニット２２７及びチャックユニット２２８が軸筒１０に対し前方に相対移動される。そして、この相対移動によって、ガイドパイプ３０が、軸筒１０の前端１１から更に露出される。
【００５８】
そして、押圧操作部１８の押し込みが解除されると、付勢手段４４の付勢力によって、チャック支持ユニット２２７及びチャックユニット２２８が軸筒１０に対して後方に相対移動される。更に、リターンスプリング２６の付勢力により、チャックユニット２２８がチャック支持ユニット２２７に対し後方に相対移動される。
【００５９】
以上のような筆記具２００の作用は、要するに、図１に示す筆記具１００の作用と同様であり、チャックユニット２２８を軸筒１０に対し前方に相対移動させると、まず、チャックユニット２２８及びガイドパイプ３０がチャック支持ユニット２２７に対し前方に相対移動され、次に、チャックユニット２２８、チャック支持ユニット２２７及びガイドパイプ３０が軸筒１０に対し前方に相対移動される、というものである。
【００６０】
以上のような本変形例によっても、筆記芯２１の前端を取り囲むガイドパイプ３０を従来よりも長く軸筒１０の前端１１から露出させることができる筆記具２００を提供することができる。すなわち、本変形例によっても、一度のノック操作によってより多くの筆記を行うことが可能な筆記具２００を提供することができる。
【００６１】
更に、チャックユニット２２８は、チャック支持ユニット２２７に対し第１付勢力にて後方に付勢されており、チャック支持ユニット２２７は、第１付勢力よりも大きな第２付勢力にて、軸筒１０に対し後方に付勢されている。このことにより、第１次ノック操作時にチャック支持ユニット２２７が軸筒１０に対し相対移動しないため、第１次ノック操作を安定的に行うことができる。
【００６２】
次に、図１に示す筆記具１００の更なる変形例について説明する。
【００６３】
図８は、図１の更なる変形例による筆記具３００を示す概略縦断面図である。この筆記具３００は、筆記芯２１を軸筒１０に対し後方に押圧した際に、チャックユニット３２８が軸筒１０に対し後方に相対移動するようになっている。具体的には、回転体３４２がチャック支持ユニット本体３２９を軸線方向ｄａに相対移動可能に支持している。更に、筆記具３００は、回転体３４２に対しチャックユニット３２８を前方に付勢する付勢手段としてコイルバネ３４０を有している。コイルバネ３４０の後方（図１における右方）には、軸筒１０に対するチャックユニット３２８の相対速度に応じた減衰力を当該チャックユニット３２８に作用させる減衰手段３５０が設けられている。減衰手段３５０は、軸筒１０に対して固定されている。
【００６４】
図８に示すように、チャックユニット３２８は、回転体３４２に対するチャックユニット３２８の後方への相対移動量を制限するための筒状部材３２２を有している。筒状部材３２２は、外周が回転体３４２によって取り囲まれている。
【００６５】
次に、減衰手段３５０は、チャックユニット３２８の芯パイプ２３を取り囲む筒状のハウジング３５１と、ハウジング３５１と芯パイプ２３との間隙に配置された２つのシール部３５２ａ、３５２ｂと、を有している。本実施の形態のシール部３５２ａ、３５２ｂは、Ｏリングであり、軸線方向ｄａに間隔を空けて配置され、ハウジング３５１と芯パイプ２３との間隙を芯パイプ２３の全周にわたって密封している。図８に示すように、ハウジング３５１の内面３５１ｓには螺旋状の溝が形成されており、当該内面３５１ｓから芯パイプ２３の外面までの距離が、２つのシール部３５２ａ、３５２ｂで密封された空間において軸線方向ｄａに沿って変化している。そして、この密封された空間に、グリス３５３が充填されている。
【００６６】
コイルバネ３４０は、チャック支持ユニット２７のフランジ部２７ｆと回転体３４２に設けられた被当接部３４５との間に伸縮可能に圧縮状態で配置されている。このコイルバネ３４０の付勢力により、チャックユニット３２８は、回転体３４２に対する可動域のうちの最も前方に位置付けられている。このとき、筒状部材３２２の後端と被当接部３４５との間に、例えば０．５ｍｍの間隙ｇが形成されている。なお、コイルバネ３４０は、チャックユニット３２８を軸筒１０に対して前方に付勢するようになっていても良い。その他の構成は、図１に示す筆記具１００と略同様である。このため、図８において、図１の筆記具１００と共通する構成要素には同じ符号を付し、その詳細な説明は省略する。
【００６７】
以上のような筆記具３００では、筆記芯２１の前端を紙面に当接させた状態で軸筒１０を紙面に向けて押圧することにより、筆記芯２１を軸筒１０及びガイドパイプ３０に対し後方に相対移動させることができる。すなわち、この押圧力は、筆記芯２１からチャックユニット３２８を介してコイルバネ３４０に伝達される。この伝達される力がコイルバネ３４０の初動荷重を上回ると、コイルバネ３４０が圧縮され、チャックユニット３２８及びチャック支持ユニット３２７が軸筒１０に対し後方に相対移動する。この相対移動の移動距離は、筒状部材３２２の後端と被当接部３４５との間の間隙ｇによって規定される。したがって、図８に示す例では、０．５ｍｍである。
【００６８】
前述した最大静止摩擦力ｆＡと最大静止摩擦力ｆＢとの関係から理解されるように、筆記芯２１が軸筒１０に対し後方に相対移動する際、ガイドパイプ３０が筆記芯２１につられて軸筒１０に対し後方に相対移動してしまうことが無い。但し、筆記芯２１がガイドパイプ３０内に完全に潜り込んでからは、ガイドパイプ３０も紙面から押圧されるため、軸筒１０に対し後方に相対移動する。すなわち、ガイドパイプ本体３１のうち軸筒１０の前端から露出している部分の長さが減少する。このような相対移動の過程において、チャックユニット３２８は、減衰手段３５０によって、相対移動速度に応じた減衰力を受ける。この減衰力によって、筆記具３００の使用者に適度な抵抗感が提供される。
【００６９】
そして、筆記芯２１に対する押圧力が解除されると、あるいは押圧力がコイルバネ３４０の初動荷重を下回るまで弱められると、コイルバネ３４０は、伸長して筒状部材３２２を軸筒１０に対し前方に相対移動させる。この相対移動は、チャックユニット３２８が回転体３４２に対する可動域の後端まで移動されることにより終了する。これにより、軸筒１０とチャックユニット３２８との相対位置関係が初期状態に復帰される（図８参照）。このとき、減衰手段３５０により、チャックユニット３２８には、軸筒１０に対する相対速度に応じた減衰力が作用する。このため、筆記芯２１から押圧力が瞬間的に除去されたとしても、チャックユニット３２８はゆっくりと軸筒１０に対して前進する。すなわち、チャックユニット３２８は、軸筒１０に対し滑らかに相対移動する。
【００７０】
このときも、前述した最大静止摩擦力ｆＡと最大静止摩擦力ｆＢとの関係から理解されるように、ガイドパイプ３０が筆記芯２１につられて軸筒１０に対して前方に相対移動してしまうことが無い。すなわち、チャックユニット３２８が軸筒１０に対して前方に相対移動される間、ガイドパイプ３０は軸筒１０に対する相対位置を維持する。以上のような軸筒１０に対するチャックユニット３２８の相対的な往復移動によって、ガイドパイプ３０の前端から露出する筆記芯２１の長さが、軸筒１０に対しガイドパイプ３０が後退した分だけ、増大する。
【００７１】
あるいは、以上のような軸筒１０に対するチャックユニット３２８の相対的な往復移動は、筆記芯２１の折損を低減させる機能をも提供する。すなわち、筆記時に筆記芯２１に過大な筆圧が作用すると、軸筒１０の軸線方向ｄａに沿った筆圧の成分（分力）がコイルバネ３４０を圧縮させる。これにより、筆記芯２１がガイドパイプ３０内に潜り込むため、筆記芯２１の折損が効果的に回避される。そして、筆圧が弱められると、コイルバネ３４０の付勢力によって、筆記芯２１と軸筒１０との相対位置関係が復元される。
【００７２】
以上のような本変形例によれば、押圧操作部１８のノック操作によらずに、ガイドパイプ３０の前端から露出する筆記芯２１の長さを増大させることができる。このため、ノック操作によらずに筆記時にガイドパイプ３０が紙面に当接しない状態を実現することができるため、利便性が高く、書き心地が滑らかな筆記具３００を提供することができる。更に、筆記芯２１に作用する筆圧が増大すると、筆記芯２１がガイドパイプ３０内に引き込まれるため、筆記芯２１に過大な筆圧が作用することが抑制される。これにより、筆記芯２１の折損を効果的に抑制することができる筆記具３００を提供することができる。
【００７３】
更には、ガイドパイプ３０の前端から筆記芯２１が僅かに露出した状態を維持することが容易であるため、筆記芯２１の視認性が良好である。このため、筆記具３００の使用者が意図せずガイドパイプ３０の前端から筆記芯２１を過度に繰り出して筆記を行うことが効果的に抑制されるため、筆記芯２１の折損が効果的に抑制され得る。
【００７４】
また、回転体３４２に対するチャックユニット３２８の可動域が、回転体３４２の被当接部３４５と筒状部材３２２との間の間隙ｇによって規定されている。このため、回転体３４２に対するチャックユニット３２８の後退量を適正な範囲に確実に規制することができる。
【００７５】
また、軸筒１０とチャックユニット３２８との間に、軸筒１０に対するチャックユニット３２８の相対速度に応じた減衰力を芯パイプ２３に作用させる減衰手段３５０が配置されている。このため、軸筒１０に対する筆記芯２１の相対移動を滑らかにすることができる。更に、筆記芯２１を繰り出す際のノック操作の操作感も向上され得る。
【００７６】
減衰手段３５０は、芯パイプ２３を取り囲む筒状のハウジング３５１と、ハウジング３５１と芯パイプ２３との間隙に軸線方向ｄａに間隔を空けて配置され当該間隙を芯パイプ２３の全周にわたって密封する２つのシール部３５２ａ、３５２ｂと、を有している。そして、ハウジング３５１内の２つのシール部３５２ａ、３５２ｂによって密封された空間にグリス３５３が充填されている。このため、減衰手段３５０の効果を長期間にわたって持続させることができ、周囲の部材をグリス３５３で汚染することもない。
【００７７】
更に、ハウジング３５１の内面３５１ｓに螺旋状の溝が形成されているため、グリス３５３を好適に保持でき、芯パイプ２３に対して安定して減衰力を提供することができる。
【００７８】
また、コイルバネ３４０と減衰手段３５０とが、軸筒１０の軸線方向ｄａに直列に配置されているため、軸筒１０の直径を増大させることなくコイルバネ３４０と減衰手段３５０とを軸筒１０内に配置することができる。
【００７９】
以上のような減衰手段３５０及びコイルバネ３４０は、図７に示す筆記具２００に追加的に設けられても良い。図９は、そのような筆記具４００を示す概略縦断面図である。図９に示すように、筆記具４００において、チャック支持ユニット４２７は、チャックユニット４２８を支持するチャック支持ユニット本体４２９と、チャック支持ユニット本体４２９に支持され、チャック支持ユニット本体４２９に対し軸線方向ｄａに相対移動可能な支持体４２７ｓと、を有している。チャックユニット４２８は、リターンスプリング２６の付勢力によって軸筒１０及び支持体４２７ｓに対し前方に付勢されており、支持体４２７ｓは、付勢手段４４によって軸筒１０に対し後方に付勢されている。その他の構成は図７に示す筆記具２００と同様である。このため、図９において図７の筆記具２００と共通する構成には同様の符号を付し、その詳細な説明は省略する。
【００８０】
このような筆記具４００においても、図７に示す筆記具２００と同様の作用が提供され、更には、図８に示す筆記具３００と同様の筆記芯２１の引き込みが実現される。したがって、筆記具４００によれば、図７に示す筆記具２００と同様の効果を奏することができると共に、図８に示す筆記具３００における、減衰手段４５０による筆記芯２１の繰り出し及び引き込み時の良好な操作感と、筆記芯２１の折損を低減する効果とが提供され得る。
【００８１】
なお、図８及び図９に示す筆記具３００、４００において、減衰手段３２０、４５０を除去した構成も可能である。この場合、チャックユニット３２８、４２８が、軸筒１０に対する相対移動速度に応じた減衰力を受けることは無い。したがって、ノック操作時や、コイルバネ３４０、４４０の圧縮及び伸長によってチャックユニット３２８、４２８が回転体３４２または支持体４２７ｓに対して相対移動する際に、迅速な動作が提供され得る。
【符号の説明】
【００８２】
１０  軸筒
１０ｐ  内鍔
１０ｓ  小径部
１１  前端
１３  溝
１４  摩擦部
１８  押圧操作部
１８ｈ  ホルダ部
２０  芯繰出ユニット
２１  筆記芯
２３  芯パイプ
２４  チャック
２５  締めリング
２６  リターンスプリング
２７  チャック支持ユニット
２７ｆ  フランジ部
２７ｐ  縮径部
２８  チャックユニット
２９  チャック支持ユニット本体
２９ｐ  外筒
３０  ガイドパイプ
３１  ガイドパイプ本体
３２  摺動支持部
３３  収容空間
４０  コイルバネ
４１  回転操作部
４１ａ  第１突起
４１ａｔ  第１テーパ部
４１ｂ  第２突起
４１ｂｔ  第２テーパ部
４１ｓ  芯パイプ嵌合部
４２  回転体
４２ｅ  隆起部
４２ｅ１  第１傾斜縁部
４２ｅ２  第２傾斜縁部
４２ｇ  被ガイド部
４４  付勢手段
６０  回転止め部材
６２  係合凹部
６３  係合凸部
８０  消しゴム
８１  ノブ
１００  筆記具
２００  筆記具
２２７  チャック支持ユニット
２２８  チャックユニット
３００  筆記具
３２０  減衰手段
３２２  筒状部材
３２２ｆ  係止部
３２７  チャック支持ユニット
３２８  チャックユニット
３２９  チャック支持ユニット本体
３４０  コイルバネ
３４２  回転体
３４５  被当接部
３５０  減衰手段
３５１  ハウジング
３５１ｓ  内面
３５２ａ  シール部
３５２ｂ  シール部
３５３  グリス
４００  筆記具
４２７  チャック支持ユニット
４２７ｓ  支持体
４２８  チャックユニット
４２９  チャック支持ユニット本体
４４０  コイルバネ
４５０  減衰手段
【図１】
2019119098.tif 000003
【図２】
2019119098.tif 000004
【図３】
2019119098.tif 000005
【図４】
2019119098.tif 000006
【図５】
2019119098.tif 000007
【図６Ａ】
2019119098.tif 000008
【図６Ｂ】
2019119098.tif 000009
【図６Ｃ】
2019119098.tif 000010
【図６Ｄ】
2019119098.tif 000011
【図６Ｅ】
2019119098.tif 000012
【図７】
2019119098.tif 000013
【図８】
2019119098.tif 000014
【図９】
2019119098.tif 000015